(57)【特許請求の範囲】
【請求項１】
通常モードで動作しているときには通常モード用の画面を表示し、ユニバーサルデザインモードで動作しているときにはユニバーサルデザインモード用の画面を表示する表示入力装置であって、
画面を表示し、画面に対する操作をユーザーから受け付けるタッチスクリーンと、
ハードウェアボタンであるホームボタンと、
前記タッチスクリーンを制御するとともに、前記ホームボタンに対して行われた操作を検知し、前記ホームボタンを押してから離すまでの時間が予め定められた第１閾値よりも短い操作が前記ホームボタンに対して行われると、前記タッチスクリーンにホーム画面を表示させる制御部と、を備え、
前記制御部は、前記通常モードのとき、前記ホームボタンを押してから離すことなく経過した長押し時間が前記第１閾値以上の操作である長押し操作が前記ホームボタンに対して行われると、前記ユニバーサルデザインモードに移行し、
前記ホーム画面には、前記通常モード用の画面である第１ホーム画面と前記ユニバーサルデザインモード用の画面である第２ホーム画面とがあり、
前記制御部は、前記第１ホーム画面の表示中に前記ホームボタンに対して前記長押し操作が行われた場合、前記長押し時間が前記第１閾値に達したとき、前記ユニバーサルデザインモードに移行するとともに、前記タッチスクリーンに前記第２ホーム画面を表示させ、
前記通常モード用の画面および前記ユニバーサルデザインモード用の画面は、それぞれ複数あり、
前記通常モード用の複数の画面は、前記第１ホーム画面以外に、前記第１ホーム画面よりも下位階層の画面である第１下層画面を含むとともに、前記ユニバーサルデザインモード用の複数の画面は、前記第２ホーム画面以外に、前記第２ホーム画面よりも下位階層の画面である第２下層画面を含み、
前記制御部は、前記第１下層画面の表示中に前記ホームボタンに対して前記長押し操作が行われた場合、前記長押し時間が前記第１閾値に達した時点では、前記ユニバーサルデザインモードに移行せずに前記タッチスクリーンに前記第１ホーム画面を表示させ、前記長押し時間が前記第１閾値よりも長い第２閾値に達したとき、前記ユニバーサルデザインモードに移行するとともに、前記タッチスクリーンに前記第２ホーム画面を表示させることを特徴とする表示入力装置。
【請求項２】
前記制御部は、前記第２下層画面の表示中に前記ホームボタンに対して前記長押し操作が行われた場合、前記長押し時間が前記第１閾値に達した時点では、前記通常モードに移行せずに前記タッチスクリーンに前記第２ホーム画面を表示させ、前記長押し時間が前記第２閾値に達したとき、前記通常モードに移行するとともに、前記タッチスクリーンに前記第１ホーム画面を表示させることを特徴とする請求項１に記載の表示入力装置。
【請求項３】
前記制御部は、前記第１下層画面の表示中に前記ホームボタンに対して前記長押し操作が行われた場合、前記長押し時間が前記第２閾値よりも長い第３閾値に達したとき、前記ホームボタンに対する操作が開始された時点で前記タッチスクリーンに表示されていた前記第１下層画面に対応する前記第２下層画面を前記タッチスクリーンに表示させることを特徴とする請求項１または２に記載の表示入力装置。
【請求項４】
前記制御部は、前記第２下層画面の表示中に前記ホームボタンに対して前記長押し操作が行われた場合、前記長押し時間が前記第３閾値に達したとき、前記ホームボタンに対する操作が開始された時点で前記タッチスクリーンに表示されていた前記第２下層画面に対応する前記第１下層画面を前記タッチスクリーンに表示させることを特徴とする請求項３に記載の表示入力装置。
【請求項５】
通常モードで動作しているときには通常モード用の画面を表示し、ユニバーサルデザインモードで動作しているときにはユニバーサルデザインモード用の画面を表示する表示入力装置であって、
画面を表示し、画面に対する操作をユーザーから受け付けるタッチスクリーンと、
ハードウェアボタンであるホームボタンと、
前記タッチスクリーンを制御するとともに、前記ホームボタンに対して行われた操作を検知し、前記ホームボタンを押してから離すまでの時間が予め定められた第１閾値よりも短い操作が前記ホームボタンに対して行われると、前記タッチスクリーンにホーム画面を表示させる制御部と、を備え、
前記制御部は、前記通常モードのとき、前記ホームボタンを押してから離すことなく経過した長押し時間が前記第１閾値以上の操作である長押し操作が前記ホームボタンに対して行われると、前記ユニバーサルデザインモードに移行し、
前記ホーム画面には、前記通常モード用の画面である第１ホーム画面と前記ユニバーサルデザインモード用の画面である第２ホーム画面とがあり、
前記制御部は、前記第１ホーム画面の表示中に前記ホームボタンに対して前記長押し操作が行われた場合、前記長押し時間が前記第１閾値に達したとき、前記ユニバーサルデザインモードに移行するとともに、前記タッチスクリーンに前記第２ホーム画面を表示させ、
前記通常モード用の画面および前記ユニバーサルデザインモード用の画面は、それぞれ複数あり、
前記通常モード用の複数の画面は、前記第１ホーム画面以外に、前記第１ホーム画面よりも下位階層の画面である第１下層画面を含むとともに、前記ユニバーサルデザインモード用の複数の画面は、前記第２ホーム画面以外に、前記第２ホーム画面よりも下位階層の画面である第２下層画面を含み、
前記制御部は、前記第１下層画面の表示中に前記ホームボタンに対して前記長押し操作が行われた場合、前記長押し時間が前記第１閾値に達したとき、前記ユニバーサルデザインモードに移行するとともに、前記ホームボタンに対する操作が開始された時点で前記タッチスクリーンに表示されていた前記第１下層画面に対応する前記第２下層画面を前記タッチスクリーンに表示させることを特徴とする表示入力装置。
【請求項６】
前記制御部は、前記第２下層画面の表示中に前記ホームボタンに対して前記長押し操作が行われた場合、前記長押し時間が前記第１閾値に達したとき、前記通常モードに移行するとともに、前記ホームボタンに対する操作が開始された時点で前記タッチスクリーンに表示されていた前記第２下層画面に対応する前記第１下層画面を前記タッチスクリーンに表示させることを特徴とする請求項５に記載の表示入力装置。
【請求項７】
前記制御部は、前記ユニバーサルデザインモードのとき、前記ホームボタンに対して前記長押し操作が行われると、前記通常モードに移行することを特徴とする請求項１〜６のいずれか１項に記載の表示入力装置。
【請求項８】
前記制御部は、前記第２ホーム画面の表示中に前記ホームボタンに対して前記長押し操作が行われた場合、前記長押し時間が前記第１閾値に達したとき、前記通常モードに移行するとともに、前記タッチスクリーンに前記第１ホーム画面を表示させることを特徴とする請求項１〜７のいずれか１項に記載の表示入力装置。
【請求項９】
請求項１〜８のいずれか１項に記載の表示入力装置を備えた画像形成装置。
【発明の詳細な説明】
【技術分野】
【０００１】
本発明は、画面を表示しユーザーから操作を受け付ける表示入力装置およびそれを備えた画像形成装置に関する。
【背景技術】
【０００２】
画像形成装置は、ジョブの実行条件などを設定する操作をユーザーから受け付け、当該操作で設定された実行条件に基づきジョブを実行する。このような画像形成装置には、ユーザーから操作を受け付けるため、表示入力装置が設けられる（たとえば、特許文献１参照）。【０００３】
特許文献１の表示入力装置（操作部）は、通常モード用の画面を表示する通常モードまたはユニバーサルデザインモード用の画面を表示するユニバーサルデザインモードで動作する。特許文献１では、ユニバーサルデザインモード用の画面に配されるソフトウェアボタンを通常モード用の画面に配されるソフトウェアボタンよりも大きいサイズにすることにより、操作性の向上を図っている。
【先行技術文献】
【特許文献】
【０００４】
【特許文献１】特開２００８−３０１１０４号公報
【発明の概要】
【発明が解決しようとする課題】
【０００５】
たとえば、表示入力装置には、通常モードからユニバーサルデザインモードへの切替指示およびユニバーサルデザインモードから通常モードへの切替指示をユーザーから受け付けるため、専用のハードウェアボタンが設けられる。しかし、専用のハードウェアボタンを表示入力装置に別途設けるようにすると、表示入力装置におけるハードウェアボタンの設置数が増加するので、構造が複雑化する（結果的にコストアップする）という不都合が生じる。【０００６】
また、表示入力装置によっては、タッチスクリーンに専用のソフトウェアボタンを配した画面を表示し、専用のソフトウェアボタンに対する操作を切替指示として受け付ける場合がある。しかし、この場合には、専用のソフトウェアボタンが配された画面を表示するための操作を行わなければならない。したがって、ユーザーにとっては煩わしい。また、ユーザーが表示入力装置の扱いに不慣れであれば、専用のソフトウェアボタンが配された画面を表示するための操作が分からず、ユニバーサルデザインモードに切り替えることができないという不都合が生じ得る。【０００７】
本発明は、上記課題を解決するためになされたものであり、専用のハードウェアボタンを別途設けなくても、容易に（簡単な操作で）、通常モードからユニバーサルデザインモードに切り替えることが可能な表示入力装置およびそれを備えた画像形成装置を提供することを目的とする。
【課題を解決するための手段】
【０００８】
上記目的を達成するため、本発明の第１の局面による表示入力装置は、通常モードで動作しているときには通常モード用の画面を表示し、ユニバーサルデザインモードで動作しているときにはユニバーサルデザインモード用の画面を表示する表示入力装置であって、画面を表示し、画面に対する操作をユーザーから受け付けるタッチスクリーンと、ハードウェアボタンであるホームボタンと、タッチスクリーンを制御するとともに、ホームボタンに対して行われた操作を検知し、ホームボタンを押してから離すまでの時間が予め定められた第１閾値よりも短い操作がホームボタンに対して行われると、タッチスクリーンにホーム画面を表示させる制御部と、を備える。制御部は、通常モードのとき、ホームボタンを押してから離すことなく経過した長押し時間が第１閾値以上の操作である長押し操作がホームボタンに対して行われると、ユニバーサルデザインモードに移行する。【０００９】
本発明の第２の局面による画像形成装置は、上記表示入力装置を備える。【００１０】
本発明の構成では、通常モードからユニバーサルデザインモードへの切替指示をユーザーから受け付けるための専用のハードウェアボタンを別途設けなくてもよい（ハードウェアボタンを増やす必要がない）ので、表示入力装置の構造が簡素化され、コストダウンに繋がる。また、通常モードからユニバーサルデザインモードに切り替えたい場合には、ユーザーはホームボタンに対して長押し操作を行うだけでよい。これにより、ユーザーは容易に（簡単な操作で）、通常モードからユニバーサルデザインモードに切り替えることができる。
【発明の効果】
【００１１】
本発明の構成では、専用のハードウェアボタンを別途設けなくても、容易に（簡単な操作で）、通常モードからユニバーサルデザインモードに切り替えることができる。
【図面の簡単な説明】
【００１２】
【図１】本発明の一実施形態による操作パネルを備えた複合機の構成を示すブロック図
【図２】本発明の一実施形態による操作パネルが表示する第１ホーム画面を示す図
【図３】本発明の一実施形態による操作パネルが表示する第１下層画面を示す図
【図４】本発明の一実施形態による操作パネルが表示する第２ホーム画面を示す図
【図５】本発明の一実施形態による操作パネルが表示する第２下層画面を示す図
【図６】本発明の一実施形態による操作パネルが第１ホーム画面の表示中にホームボタンに対する長押し操作を受け付けた場合の画面遷移を示す図
【図７】本発明の一実施形態による操作パネルが第２ホーム画面の表示中にホームボタンに対する長押し操作を受け付けた場合の画面遷移を示す図
【図８】本発明の一実施形態による操作パネルが第１下層画面の表示中にホームボタンに対する長押し操作を受け付けた場合の画面遷移を示す図（第１画面遷移処理の流れを示す図）
【図９】本発明の一実施形態による操作パネルが第２下層画面の表示中にホームボタンに対する長押し操作を受け付けた場合の画面遷移を示す図（第１画面遷移処理の流れを示す図）
【図１０】本発明の一実施形態による操作パネルが第１下層画面の表示中にホームボタンに対する長押し操作を受け付けた場合の画面遷移を示す図（第２画面遷移処理の流れを示す図）
【図１１】本発明の一実施形態による操作パネルが第２下層画面の表示中にホームボタンに対する長押し操作を受け付けた場合の画面遷移を示す図（第２画面遷移処理の流れを示す図）
【図１２】本発明の一実施形態による操作パネルが表示するメニューボックスを示す図
【発明を実施するための形態】
【００１３】
以下に、本発明の一実施形態による表示入力装置を備えた画像形成装置について、コピー機能、送信機能、ファックス機能、ボックス機能およびスマートスキャン機能など、複数種の機能が搭載された複合機を例にとって説明する。
【００１４】
なお、コピー機能を使用することにより、原稿の画像を用紙に印刷することができる。送信機能を使用することにより、原稿の読み取りで得られた画像データを外部機器（パーソナルコンピューターやサーバーなど）に送信し保存することができる。ファックス機能を使用することにより、原稿の読み取りで得られた画像データを外部機器（ファクシミリ）にファックス送信することができる。ボックス機能を使用することにより、原稿の読み取りで得られた画像データを機内に保存したり機内に保存した画像データを外部に出力したりすることができる。スマートスキャン機能を使用することにより、予め登録した読取条件で原稿をスキャンすることができる（原稿のスキャンに際し読取条件を設定する必要がない）。
【００１５】
＜＜複合機の構成＞＞
図１に示すように、本実施形態の複合機１００（「画像形成装置」に相当）は、本体制御部１を備える。本体制御部１は、ＣＰＵおよびメモリーを含む。本体制御部１は、複合機１００の全体制御を行う。
【００１６】
本体制御部１は、画像読取部１０１および印刷部１０２と接続される。画像読取部１０１は、原稿を読み取り、当該読み取った原稿の画像データを生成する。印刷部１０２は、画像（トナー像）を形成し、当該形成した画像を用紙に印刷する。本体制御部１は、画像読取部１の読取動作を制御するとともに、印刷部１０２の印刷動作を制御する。
【００１７】
また、複合機１００は、記憶部２を備える。記憶部２は、ＨＤＤやＲＯＭ（ＥＥＰＲＯＭなど）などの不揮発性の記憶デバイスを含む。記憶部２は、予め登録された読取条件（当該読取条件はスマートスキャン機能の使用時に読み出される）を記憶する。また、記憶部２は、ボックスと称される保存領域（ボックス機能に割り当てられた保存領域）を有する。記憶部２のボックスには、画像読取部１０１が読み取った原稿の画像データを格納することができる。
【００１８】
記憶部２は、本体制御部１に接続される。本体制御部１は、記憶部２にデータを書き込むとともに、記憶部２からデータを読み出す。
【００１９】
また、複合機１００は、通信部３を備える。通信部３は、インターネット回線や電話回線などの通信用のネットワークＮＴに複合機１００を接続するためのインターフェイスである。通信部３は、ＬＡＮ通信を行うためのＬＡＮ通信回路やＦＡＸ通信を行うためのＦＡＸ通信回路などを含む。
【００２０】
通信部３は、本体制御部１に接続される。本体制御部１は、通信部３を制御し、ネットワークＮＴに接続された外部機器２００と通信する。ネットワークＮＴには、パーソナルコンピューターやサーバー、ファクシミリなどが接続される。本体制御部１は、通信部３を用いて外部機器２００と通信し、外部機器２００にデータを送信する。
【００２１】
また、複合機１００は、操作パネル４を備える。操作パネル４は「表示入力装置」に相当する。操作パネル４は、タッチスクリーン４１およびハードウェアボタン４２を含む。
【００２２】
タッチスクリーン４１は、画面を表示し、表示中の画面（ソフトウェアボタン）に対する操作をユーザーから受け付ける。ハードウェアボタン４２は、操作パネル４に複数設けられる。ここで、ハードウェアボタン４２として、ホームボタンＨＢがある。ホームボタンＨＢについては後に詳細に説明する。
【００２３】
また、操作パネル４は、パネル制御部４０を備える。パネル制御部４０は「制御部」に相当する。パネル制御部４０は、本体制御部１に接続される。パネル制御部４０は、本体制御部１から操作パネル４の制御に関する指示を受ける。パネル制御部４０は、タッチスクリーン４１を制御するとともに、ハードウェアボタン４２（ホームボタンＨＢも含む）に対して行われた操作を検知する。
【００２４】
パネル制御部４０は、ＣＰＵ４０１およびメモリー４０２を備える。ＣＰＵ４０１は、制御用のプログラムおよびデータに基づき動作し、操作パネル４を制御する処理を行う。メモリー４０２は、ＲＯＭおよびＲＡＭを含み、制御用のプログラムおよびデータを記憶する。メモリー４０２には、タッチスクリーン４１が表示する画面の画面データ（表示データ）が記憶される。
【００２５】
＜＜操作パネルの表示画面＞＞
操作パネル４の表示モードとして、通常モードおよびユニバーサルデザインモードが準備される。すなわち、操作パネル４は、通常モードおよびユニバーサルデザインモードのいずれかの表示モードで表示動作を行う。
【００２６】
パネル制御部４０は、操作パネル４に対するユーザーの操作に基づき、操作パネル４の表示モードを切り替える（詳細は後述する）。パネル制御部４０は、操作パネル４の現在の表示モードが通常モードであるかユニバーサルデザインモードであるかを示すモード情報をメモリー４０２に記憶させる。パネル制御部４０は、表示モードを切り替えると、モード情報を更新する。そして、パネル制御部４０は、モード情報に基づき、現在の表示モードを認識する。
【００２７】
通常モードのとき、パネル制御部４０は、通常モード用の画面１０（図２および図３参照）をタッチスクリーン４１に表示させる。ユニバーサルデザインモードのとき、パネル制御部４０は、ユニバーサルデザインモード用の画面２０（図４および図５参照）をタッチスクリーン４１に表示させる。ユニバーサルデザインモード用の画面２０は、ユニバーサルデザインのコンセプトに基づき画面要素（たとえば、ソフトウェアボタンの数、大きさ、形状および色など）がデザインされた画面である。なお、図２〜図５に示す操作パネル４の表示画面は一例であり、操作パネル４は他にも種々の画面を表示する。
【００２８】
＜通常モード用の画面＞
まず、通常モード用の画面１０について説明する。
【００２９】
図２に示す画面１０は、通常モード用のホーム画面である。図２に示す画面１０は「第１ホーム画面」に相当する。以下の説明では、図２に示す画面１０に符号１１を付し、第１ホーム画面１１と称する。
【００３０】
第１ホーム画面１１は、複合機１００に搭載された複数種の機能のうち使用機能（ユーザーが使用したい機能）を選択する操作をユーザーから受け付けるための画面である。パネル制御部４０は、複合機１００の主電源が投入されたときや複合機１００がスリープモード（省電力モード）から復帰したとき、現在の表示モードが通常モードであれば、初期画面として第１ホーム画面１１をタッチスクリーン４１に表示させる。
【００３１】
第１ホーム画面１１には、複数種の機能にそれぞれ対応する複数の機能ボタンＢ１１（ソフトウェアボタン）が配される。第１ホーム画面１１に配された複数の機能ボタンＢ１１は、それぞれ、コピー機能、送信機能、ファックス機能、ボックス機能およびスマートスキャン機能に対応する。
【００３２】
第１ホーム画面１１において、コピー機能を使用したい場合には、ユーザーは「Ｃｏｐｙ」と表記された機能ボタンＢ１１を操作すればよい。送信機能を使用したい場合には、ユーザーは「Ｓｅｎｄ」と表記された機能ボタンＢ１１を操作すればよい。ファックス機能を使用したい場合には、ユーザーは「ＦＡＸ」と表記された機能ボタンＢ１１を操作すればよい。ボックス機能を使用したい場合には、ユーザーは「Ｂｏｘ」と表記された機能ボタンＢ１１を操作すればよい。スマートスキャン機能を使用したい場合（予め登録した読取条件を読み出したい場合）には、ユーザーは「Ｓｍａｒｔ  Ｓｃａｎ」と表記された機能ボタンＢ１１を操作すればよい。
【００３３】
ここで、通常モード用の画面１０は複数ある。通常モード用の複数の画面１０のうち、第１ホーム画面１１は階層的に最上位の画面である。そして、第１ホーム画面１１よりも下位階層に通常モード用の画面１０がさらに複数ある。以下の説明では、通常モード用の複数の画面１０のうち、第１ホーム画面１１以外の画面（第１ホーム画面１１よりも階層的に下位の画面）に符号１２を付し、第１下層画面１２と称する。
【００３４】
図３に示す画面１０は、通常モード用の複数の第１下層画面１２の１つである。図３に示す第１下層画面１２は、第１ホーム画面１１の１つ下の階層の画面である。パネル制御部４０は、第１ホーム画面１１のコピー機能ボタンＢ１１（「Ｃｏｐｙ」と表記された機能ボタンＢ１１）に対して操作が行われると、図３に示す第１下層画面１２をタッチスクリーン４１に表示させる。
【００３５】
以下の説明では、図３に示す第１下層画面１２に符号１２Ｃを付し、第１コピー画面１２Ｃと称する場合がある。図示しないが、第１ホーム画面１１のコピー機能ボタンＢ１１以外の機能ボタンＢ１１をユーザーが操作した場合にも、第１ホーム画面１１の１つ下の階層の画面が操作パネル４に表示される。当該画面も第１下層画面１２である。
【００３６】
第１コピー画面１２Ｃは、コピー機能に関する複数の設定項目のうち設定値を設定（変更）したい設定項目を選択する操作をユーザーから受け付けるための画面である。第１コピー画面１２Ｃには、コピー機能に関する複数の設定項目にそれぞれ対応する複数の設定項目ボタンＢ１２（ソフトウェアボタン）が配される。
【００３７】
図３には、一例として、用紙サイズ、濃度、倍率および両面／分割の各設定項目の設定ボタンＢ１２が配された第１コピー画面１２Ｃを図示する。設定項目としての用紙サイズの設定値を設定したい場合には、ユーザーは「用紙サイズ」と表記された設定項目ボタンＢ１２を操作すればよい。設定項目としての濃度の設定値を設定したい場合には、ユーザーは「濃度」と表記された設定項目ボタンＢ１２を操作すればよい。設定項目としての倍率の設定値を設定したい場合には、ユーザーは「倍率」と表記された設定項目ボタンＢ１２を操作すればよい。設定項目としての両面／分割の設定値を設定したい場合には、ユーザーは「両面／分割」と表記された設定項目ボタンＢ１２を操作すればよい。
【００３８】
図示しないが、第１コピー画面１２Ｃのいずれかの設定項目ボタンＢ１２をユーザーが操作すると、ユーザーが操作した設定項目ボタンＢ１２に対応する設定項目の設定値の設定をユーザーから受け付けるための画面が操作パネル４に表示される。このときに表示される画面は、通常モード用の画面１０であり、第１コピー画面１２Ｃの１つ下の階層の画面である（第１ホーム画面１１よりも下位階層の画面でもある）。すなわち、第１コピー画面１２Ｃのいずれかの設定項目ボタンＢ１２をユーザーが操作したときに操作パネル４に表示される画面も第１下層画面１２である。
【００３９】
＜ユニバーサルデザインモード用の画面＞
次に、ユニバーサルデザインモード用の画面２０について説明する。
【００４０】
図４に示す画面２０は、ユニバーサルデザインモード用のホーム画面である。図４に示す画面２０は「第２ホーム画面」に相当する。以下の説明では、図４に示す画面１０に符号２１を付し、第２ホーム画面２１と称する。
【００４１】
第２ホーム画面２１は、第１ホーム画面１１に対応する画面であり、使用機能を選択する操作をユーザーから受け付けるための画面である。パネル制御部４０は、複合機１００の主電源が投入されたときや複合機１００がスリープモード（省電力モード）から復帰したとき、現在の表示モードがユニバーサルデザインモードであれば、初期画面として第２ホーム画面２１をタッチスクリーン４１に表示させる。
【００４２】
第２ホーム画面２１には、第１ホーム画面１１と同様、使用機能の選択をユーザーから受け付けるための機能ボタンＢ２１（ソフトウェアボタン）が配される。ただし、第２ホーム画面２１はユニバーサルデザインモード用であるので、通常モード用の第１ホーム画面１１とはデザインが異なる。
【００４３】
たとえば、第２ホーム画面２１には、メーカーやユーザーにより予め選択された機能（コピー機能、送信機能およびファックス機能）に対応する機能ボタンＢ２１のみが配される。すなわち、第２ホーム画面２１の機能ボタンＢ２１の配置数は第１ホーム画面１１の機能ボタンＢ１１の配置数よりも少ない。たとえば、第２ホーム画面２１に配する機能ボタンＢ２１として、使用頻度が高い機能に対応するものが選択される。第２ホーム画面２１に配する機能ボタンＢ２１はユーザーが任意に変更可能であり、当該変更は操作パネル４がユーザーから受け付ける。なお、第２ホーム画面２１の機能ボタンＢ２１のサイズを第１ホーム画面１１の機能ボタンＢ１１のサイズよりも大きくしてもよい。
【００４４】
ここで、ユニバーサルデザインモード用の画面２０は複数ある。ユニバーサルデザインモード用の複数の画面２０のうち、第２ホーム画面２１は階層的に最上位の画面である。そして、第２ホーム画面２１よりも下位階層にユニバーサルデザインモード用の画面２０がさらに複数ある。以下の説明では、ユニバーサルデザインモード用の複数の画面２０のうち、第２ホーム画面２１以外の画面（第２ホーム画面２１よりも階層的に下位の画面）に符号２２を付し、第２下層画面２２と称する。
【００４５】
図５に示す画面２０は、ユニバーサルデザインモード用の複数の第２下層画面２２の１つである。図５に示す第２下層画面２２は、第２ホーム画面２１の１つ下の階層の画面である。パネル制御部４０は、第２ホーム画面２１のコピー機能ボタンＢ２１（「Ｃｏｐｙ」と表記された機能ボタンＢ２１）に対して操作が行われると、図５に示す第２下層画面２２をタッチスクリーン４１に表示させる。
【００４６】
以下の説明では、図５に示す第２下層画面２２に符号２２Ｃを付し、第２コピー画面１２Ｃと称する場合がある。図示しないが、第２ホーム画面２１のコピー機能ボタンＢ２１以外の機能ボタンＢ２１をユーザーが操作した場合にも、第２ホーム画面２１の１つ下の階層の画面が操作パネル４に表示される。当該画面も第２下層画面２２である。
【００４７】
第２コピー画面２２Ｃは、第１コピー画面１２に対応する画面である。すなわち、第２コピー画面２２Ｃには、第１コピー画面１２と同様、設定項目の選択をユーザーから受け付けるための設定項目ボタンＢ２２（ソフトウェアボタン）が配される。ただし、第２コピー画面２２Ｃはユニバーサルデザインモード用であるので、通常モード用の第１コピー画面１２Ｃとはデザインが異なる。
【００４８】
たとえば、第２コピー画面２２Ｃには、第１コピー画面１２Ｃの設定項目ボタンＢ１２よりもサイズが大きい設定項目ボタンＢ２２が配される。なお、第２ホーム画面２２と同様、第２コピー画面２２Ｃの設定項目ボタンＢ２２の配置数を減らしてもよい。
【００４９】
図示しないが、第２コピー画面２２Ｃのいずれかの設定項目ボタンＢ２２をユーザーが操作すると、ユーザーが操作した設定項目ボタンＢ２２に対応する設定項目の設定値の設定をユーザーから受け付けるための画面が操作パネル４に表示される。このときに表示される画面は、ユニバーサルデザインモード用の画面２０であり、第２コピー画面２２Ｃの１つ下の階層の画面である（第２ホーム画面２１よりも下位階層の画面でもある）。すなわち、第２コピー画面２２Ｃのいずれかの設定項目ボタンＢ２２をユーザーが操作したときに操作パネル４に表示される画面も第２下層画面２２である。
【００５０】
なお、第２ホーム画面２１（図４参照）の各機能ボタンＢ２１には、番号（当該番号は丸枠で囲まれる）が付される。パネル制御部４０は、第２ホーム画面２１の表示中、数値の入力をユーザーから受け付けると、当該入力された入力数値に対応する数字が付された機能ボタンＢ２１を認識する。そして、パネル制御部４０は、当該認識した機能ボタンＢ２１に対応する第２下層画面２２をタッチスクリーン４１に表示させる。たとえば、図示しないが、操作パネル４にテンキーが設けられている場合、ユーザーは操作パネル４のテンキーを用いて数値を入力することができる。また、操作パネル４には数値入力装置（たとえば、テンキーを含むＵＳＢデバイス）を接続することが可能であり、操作パネル４に数値入力装置を接続した場合には、ユーザーは数値入力装置を用いて数値を入力することができる。
【００５１】
＜＜表示モードの移行＞＞
パネル制御部４０は、操作パネル４が画面（通常モード用の画面１０でもよいしユニバーサルデザインモード用の画面２０でもよい）を表示しているとき、ホームボタンＨＢに対して操作が行われたか否か（ホームボタンＨＢが押されたか否か）を検知する。ホームボタンＨＢに対して操作が行われたことを検知すると、パネル制御部４０は、ホームボタンＨＢに対する操作を検知してからの時間（ホームボタンＨＢが押されてからの時間）を計測する。
【００５２】
そして、パネル制御部４０は、計測時間に基づき、ホームボタンＨＢに対して通常操作が行われたか長押し操作が行われたかを判断する。ホームボタンＨＢに対して行われた操作が通常操作であれば、パネル制御部４０は、表示モードの移行を行わない。一方で、ホームボタンＨＢに対して行われた操作が長押し操作であれば、パネル制御部４０は、予め定められた移行条件が満たされたときに表示モードの移行を行う。
【００５３】
＜ホームボタンに対する操作が通常操作である場合＞
パネル制御部４０は、ホームボタンＨＢを押してから離すまでの時間が予め定められた第１閾値よりも短い操作がホームボタンＨＢに対して行われると、ホームボタンＨＢに対して行われた操作が通常操作であると判断する。たとえば、第１閾値は２秒である。
【００５４】
パネル制御部４０は、タッチスクリーン４１が第１下層画面１２を表示しているとき（通常モードのとき）、ホームボタンＨＢに対して通常操作が行われると、第１下層画面１２に代えて、第１ホーム画面１１をタッチスクリーン４１に表示させる。なお、パネル制御部４０は、タッチスクリーン４１が第１ホーム画面１１を表示しているとき（通常モードのとき）、ホームボタンＨＢに対して通常操作が行われても、タッチスクリーン４１に表示画面を遷移させない。すなわち、タッチスクリーン４１は、第１ホーム画面１１を表示し続ける。
【００５５】
また、パネル制御部４０は、タッチスクリーン４１が第２下層画面２２を表示しているとき（ユニバーサルデザインモードのとき）、ホームボタンＨＢに対して通常操作が行われると、第２下層画面２２に代えて、第２ホーム画面２１をタッチスクリーン４１に表示させる。なお、パネル制御部４０は、タッチスクリーン４１が第２ホーム画面２１を表示しているとき（ユニバーサルデザインモードのとき）、ホームボタンＨＢに対して通常操作が行われても、タッチスクリーン４１に表示画面を遷移させない。すなわち、タッチスクリーン４１は、第２ホーム画面２１を表示し続ける。
【００５６】
このように、ホームボタンＨＢに対する操作が通常操作であった場合には、通常操作が行われた時点の表示モードが通常モードであるかユニバーサルデザインモードであるかにかかわらず、表示モードの移行は行われない。
【００５７】
＜ホームボタンに対する操作が長押し操作である場合＞
パネル制御部４０は、ホームボタンＨＢを押してから離すことなく経過した時間（以下の説明では、長押し時間と称する）が第１閾値以上の操作がホームボタンＨＢに対して行われると、ホームボタンＨＢに対して行われた操作が長押し操作であると判断する。すなわち、ユーザーがホームボタンＨＢを押し続けると（直ぐに離さなければ）、ホームボタンＨＢに対する操作が長押し操作であると判断される。
【００５８】
ホームボタンＨＢに対する操作が長押し操作であると判断して以降、予め定められた移行条件が満たされると、パネル制御部４０は、表示モードの移行を行う。すなわち、通常モードのときに移行条件が満たされると、パネル制御部４０は、通常モードからユニバーサルデザインモードに移行する。ユニバーサルデザインモードのときに移行条件が満たされると、パネル制御部４０は、ユニバーサルデザインモードから通常モードに移行する。
【００５９】
以下、図６〜図９を参照し、通常モードからユニバーサルデザインモードへの移行およびユニバーサルデザインモードから通常モードへの移行について説明する。以下の説明で参照する図６〜図９では、便宜上、各画面の画面要素（ソフトウェアボタンなど）の図示を省略する。代わりに、各画面の種類を示す文言を挿入する。
【００６０】
（第１ホーム画面の表示中における長押し操作）
図６に示すように、パネル制御部４０は、第１ホーム画面１１の表示中（通常モードのとき）にホームボタンＨＢに対して長押し操作が行われた場合、ホームボタンＨＢに対して長押し操作が行われたと判断したとき、移行条件が満たされたと判断する。すなわち、パネル制御部４０は、長押し時間が第１閾値に達したとき、移行条件が満たされたと判断する。
【００６１】
第１ホーム画面１１の表示中に移行条件が満たされたとき（長押し時間が第１閾値に達したとき）、パネル制御部４０は、通常モードからユニバーサルデザインモードに移行する。また、パネル制御部４０は、第１ホーム画面１１に代えて、第２ホーム画面２１をタッチスクリーン４１に表示させる。
【００６２】
（第２ホーム画面の表示中における長押し操作）
図７に示すように、パネル制御部４０は、第２ホーム画面２１の表示中（ユニバーサルデザインモードのとき）にホームボタンＨＢに対して長押し操作が行われた場合、ホームボタンＨＢに対して長押し操作が行われたと判断したとき、移行条件が満たされたと判断する。すなわち、パネル制御部４０は、長押し時間が第１閾値に達したとき、移行条件が満たされたと判断する。
【００６３】
第２ホーム画面２１の表示中に移行条件が満たされたとき（長押し時間が第１閾値に達したとき）、パネル制御部４０は、ユニバーサルデザインモードから通常モードに移行する。また、パネル制御部４０は、第２ホーム画面２１に代えて、第１ホーム画面１１をタッチスクリーン４１に表示させる。
【００６４】
（第１下層画面の表示中における長押し操作）
図８に示すように、パネル制御部４０は、第１下層画面１２の表示中（通常モードのとき）にホームボタンＨＢに対して長押し操作が行われた場合、ホームボタンＨＢに対して長押し操作が行われたと判断した時点（長押し操作が第１閾値に達した時点）では、移行条件が満たされたと判断しない。すなわち、パネル制御部４０は、ユニバーサルデザインモードに移行しない。このとき、パネル制御部４０は、第１下層画面１２に代えて、第１ホーム画面１１をタッチスクリーン４１に表示させる。
【００６５】
ホームボタンＨＢに対して長押し操作が行われたと判断して以降（長押し時間が第１閾値に達して以降）、パネル制御部４０は、ホームボタンＨＢに対する操作が開始されてからの長押し時間（ホームボタンＨＢが押されてからの長押し時間）が第１閾値よりも長い第２閾値に達したか否かを判断する。たとえば、第２閾値は３秒（第１閾値に１秒加算した値）である。
【００６６】
長押し時間が第２閾値に達したと判断したとき、パネル制御部４０は、移行条件が満たされたと判断する。このとき、パネル制御部４０は、通常モードからユニバーサルデザインモードに移行する。また、パネル制御部４０は、第１ホーム画面１１に代えて、第２ホーム画面２１をタッチスクリーン４１に表示させる。なお、長押し時間が第２閾値に達する前にホームボタンＨＢに対する操作が解除された場合、パネル制御部４０は、ユニバーサルデザインモードに移行しない。この場合、第１ホーム画面１１の表示が続行される。
【００６７】
長押し時間が第２閾値に達して以降、パネル制御部４０は、ホームボタンＨＢに対する操作が開始されてからの長押し時間（ホームボタンＨＢが押されてからの長押し時間）が第２閾値よりも長い第３閾値に達したか否かを判断する。たとえば、第３閾値は４秒（第２閾値に１秒加算した値）である。
【００６８】
長押し時間が第３閾値に達したと判断したとき、パネル制御部４０は、ホームボタンＨＢに対する操作が開始された時点でタッチスクリーン４１に表示されていた第１下層画面１２を認識し、当該認識した第１下層画面１２に対応する第２下層画面２２を表示対象として認識する。なお、通常モード用の画面１０とユニバーサルデザインモード用の画面２０との対応関係を示す対応関係情報はメモリー４０２に予め記憶される。パネル制御部４０は、対応関係情報に基づき表示対象を認識する。対応関係情報では、たとえば、第１コピー画面１２Ｃと第２コピー画面２２Ｃとが対応付けられる。
【００６９】
そして、長押し時間が第３閾値に達したと判断したとき、パネル制御部４０は、第２ホーム画面２１に代えて、表示対象として認識した第２下層画面２２をタッチスクリーン４１に表示させる。たとえば、ホームボタンＨＢに対する操作が開始された時点でタッチスクリーン４１に表示されていた第１下層画面１２が第１コピー画面１２Ｃであった場合には、第２コピー画面２２Ｃが表示される。なお、長押し時間が第３閾値に達する前にホームボタンＨＢに対する操作が解除された場合、パネル制御部４０は、タッチスクリーン４１による第２ホーム画面２１の表示を続行させる（表示モードはユニバーサルデザインモードのまま維持される）。
【００７０】
（第２下層画面の表示中における長押し操作）
図９に示すように、パネル制御部４０は、第２下層画面２２の表示中（ユニバーサルデザインモードのとき）にホームボタンＨＢに対して長押し操作が行われた場合、ホームボタンＨＢに対して長押し操作が行われたと判断した時点（長押し操作が第１閾値に達した時点）では、移行条件が満たされたと判断しない。すなわち、パネル制御部４０は、通常モードに移行しない。このとき、パネル制御部４０は、第２下層画面２２に代えて、第２ホーム画面２１をタッチスクリーン４１に表示させる。
【００７１】
ホームボタンＨＢに対して長押し操作が行われたと判断して以降（長押し時間が第１閾値に達して以降）、パネル制御部４０は、ホームボタンＨＢに対する操作が開始されてからの長押し時間（ホームボタンＨＢが押されてからの長押し時間）が第１閾値よりも長い第２閾値に達したか否かを判断する。
【００７２】
長押し時間が第２閾値に達したと判断したとき、パネル制御部４０は、移行条件が満たされたと判断する。このとき、パネル制御部４０は、ユニバーサルデザインモードから通常モードに移行する。また、パネル制御部４０は、第２ホーム画面２１に代えて、第１ホーム画面１１をタッチスクリーン４１に表示させる。なお、長押し時間が第２閾値に達する前にホームボタンＨＢに対する操作が解除された場合、パネル制御部４０は、通常モードに移行しない。この場合、第２ホーム画面２１の表示が続行される。
【００７３】
長押し時間が第２閾値に達して以降、パネル制御部４０は、ホームボタンＨＢに対する操作が開始されてからの長押し時間（ホームボタンＨＢが押されてからの長押し時間）が第２閾値よりも長い第３閾値に達したか否かを判断する。
【００７４】
長押し時間が第３閾値に達したと判断したとき、パネル制御部４０は、ホームボタンＨＢに対する操作が開始された時点でタッチスクリーン４１に表示されていた第２下層画面２２を認識し、当該認識した第２下層画面２２に対応する第１下層画面１２を表示対象として認識する。
【００７５】
そして、長押し時間が第３閾値に達したと判断したとき、パネル制御部４０は、第１ホーム画面１１に代えて、表示対象として認識した第１下層画面１２をタッチスクリーン４１に表示させる。たとえば、ホームボタンＨＢに対する操作が開始された時点でタッチスクリーン４１に表示されていた第２下層画面２２が第２コピー画面２２Ｃであった場合には、第１コピー画面１２Ｃが表示される。なお、長押し時間が第３閾値に達する前にホームボタンＨＢに対する操作が解除された場合、パネル制御部４０は、タッチスクリーン４１による第１ホーム画面１１の表示を続行させる（表示モードは通常モードのまま維持される）。
【００７６】
本実施形態の構成では、上記のように、パネル制御部４０は、通常モードのとき、ホームボタンＨＢに対して長押し操作が行われるとユニバーサルデザインモードに移行し、ユニバーサルデザインモードのとき、ホームボタンＨＢに対して長押し操作が行われると通常モードに移行する。この構成では、表示モードの切替指示をユーザーから受け付けるための専用のハードウェアボタン４２を別途設けなくてもよい（ハードウェアボタン４２を増やす必要がない）ので、操作パネル４の構造が簡素化され、コストダウンに繋がる。また、通常モードからユニバーサルデザインモードに切り替えたい場合やユニバーサルデザインモードから通常モードに切り替えたい場合には、ユーザーはホームボタンＨＢに対して長押し操作を行うだけでよい。これにより、ユーザーは容易に（簡単な操作で）、通常モードからユニバーサルデザインモードに切り替えることができ、ユニバーサルデザインモードから通常モードに切り替えることができる。
【００７７】
また、本実施形態では、上記のように、第１ホーム画面１１の表示中にホームボタンＨＢに対して長押し操作を行うと、長押し時間が第１閾値に達した時点でユニバーサルデザインモードに移行する。また、第２ホーム画面２１の表示中にホームボタンＨＢに対して長押し操作を行うと、長押し時間が第１閾値に達した時点で通常モードに移行する。これにより、第１ホーム画面１１や第２ホーム画面２１が表示されているときには、表示モードを直ぐに切り替えることができる。
【００７８】
また、本実施形態では、上記のように、第１下層画面１２の表示中にホームボタンＨＢに対して長押し操作を行うと、第１ホーム画面１１が表示されてから、ユニバーサルデザインモードに移行し第２ホーム画面２１が表示される。これにより、第１ホーム画面１１の表示指示を意図したホームボタンＨＢに対する操作が長押し操作として検知されても、第１ホーム画面１１が表示された時点でホームボタンＨＢに対する操作を解除することにより、通常モードから不必要にユニバーサルデザインモードに切り替わることはない。
【００７９】
また、本実施形態では、上記のように、第２下層画面２２の表示中にホームボタンＨＢに対して長押し操作を行うと、第２ホーム画面２１が表示されてから、通常モードに移行し第１ホーム画面１１が表示される。これにより、第２ホーム画面２１の表示指示を意図したホームボタンＨＢに対する操作が長押し操作として検知されても、第２ホーム画面２１が表示された時点でホームボタンＨＢに対する操作を解除することにより、ユニバーサルデザインモードから不必要に通常モードに切り替わることはない。
【００８０】
また、本実施形態では、上記のように、第１下層画面１２の表示中にホームボタンＨＢに対して長押し操作を行った場合、ユニバーサルデザインモードに切り替えることができ、かつ、ホームボタンＨＢに対する操作を開始した時点で表示されていた第１下層画面１２に対応する第２下層画面２２を表示させることができる。また、第２下層画面２２の表示中にホームボタンＨＢに対して長押し操作を行った場合、通常モードに切り替えることができ、かつ、ホームボタンＨＢに対する操作を開始した時点で表示されていた第２下層画面２２に対応する第１下層画面１２を表示させることができる。これにより、ユーザーの利便性がより向上する。
【００８１】
なお、第１下層画面１２の表示中（通常モードのとき）にユニバーサルデザインモードに移行するとき、第１ホーム画面１１の表示を省略してもよい（第１下層画面１２から一気に第２下層画面２２に遷移してもよい）。また、第２下層画面２２の表示中（ユニバーサルデザインモードのとき）に通常モードに移行するとき、第２ホーム画面２１の表示を省略してもよい（第２下層画面２２から一気に第１下層画面１２に遷移してもよい）。
【００８２】
たとえば、操作パネル４に対して所定操作が行われたとき、パネル制御部４０は、表示モードに関する設定をユーザーから受け付けるための設定画面（図示せず）をタッチスクリーン４１に表示させる。当該設定画面では、第１画面遷移処理および第２画面遷移処理のうちユーザー指定の画面遷移処理の選択受付が行われる。
【００８３】
選択受付の結果、第１画面遷移処理が選択された場合、パネル制御部４０は、第１下層画面１２の表示中（通常モードのとき）にユニバーサルデザインモードに移行するとき、タッチスクリーン４１に第１ホーム画面１１を表示させてから第２ホーム画面２１を表示させる。また、パネル制御部４０は、第２下層画面２２の表示中（ユニバーサルデザインモードのとき）に通常モードに移行するとき、タッチスクリーン４１に第２ホーム画面２１を表示させてから第１ホーム画面１１を表示させる。すなわち、第１画面遷移処理が選択された場合には、図８および図９に示したような画面遷移が行われる。
【００８４】
また、第２画面遷移処理が選択された場合、パネル制御部４０は、第１下層画面１２の表示中（通常モードのとき）にユニバーサルデザインモードに移行するとき、タッチスクリーン４１に第１ホーム画面１１および第２ホーム画面２１を表示させずに第２下層画面２２を表示させる。また、パネル制御部４０は、第２下層画面２２の表示中（ユニバーサルデザインモードのとき）に通常モードに移行するとき、タッチスクリーン４１に第２ホーム画面２１および第１ホーム画面１１を表示させずに第１下層画面１２を表示させる。
【００８５】
以下、図１０および図１１を参照し、第２画面遷移処理について詳細に説明する。以下の説明で参照する図１０および図１１では、便宜上、各画面の画面要素（ソフトウェアボタンなど）の図示を省略する。代わりに、各画面の種類を示す文言を挿入する。
【００８６】
（第１下層画面の表示中における長押し操作）
図１０に示すように、パネル制御部４０は、第１下層画面１２の表示中（通常モードのとき）にホームボタンＨＢに対して長押し操作が行われた場合、ホームボタンＨＢに対して長押し操作が行われたと判断したとき、移行条件が満たされたと判断する。すなわち、パネル制御部４０は、長押し時間が第１閾値に達したとき、移行条件が満たされたと判断する。
【００８７】
第１下層画面１２の表示中に移行条件が満たされたとき（長押し時間が第１閾値に達したとき）、パネル制御部４０は、現在表示中の第１下層画面１２に対応する第２下層画面２２を表示対象として認識する。そして、長押し時間が第１閾値に達したとき、パネル制御部４０は、通常モードからユニバーサルデザインモードに移行する。また、パネル制御部４０は、第１下層画面１２に代えて、表示対象として認識した第２下層画面２２をタッチスクリーン４１に表示させる。
【００８８】
（第２下層画面の表示中における長押し操作）
図１１に示すように、パネル制御部４０は、第２下層画面２２の表示中（ユニバーサルデザインモードのとき）にホームボタンＨＢに対して長押し操作が行われた場合、ホームボタンＨＢに対して長押し操作が行われたと判断したとき、移行条件が満たされたと判断する。すなわち、パネル制御部４０は、長押し時間が第１閾値に達したとき、移行条件が満たされたと判断する。
【００８９】
第２下層画面２２の表示中に移行条件が満たされたとき（長押し時間が第１閾値に達したとき）、パネル制御部４０は、現在表示中の第２下層画面２２に対応する第１下層画面１２を表示対象として認識する。そして、長押し時間が第１閾値に達したとき、パネル制御部４０は、ユニバーサルデザインモードから通常モードに移行する。また、パネル制御部４０は、第２下層画面２２に代えて、表示対象として認識した第１下層画面１２をタッチスクリーン４１に表示させる。
【００９０】
操作パネル４が第２画面遷移処理を行うよう設定した場合、第１下層画面１２の表示中にホームボタンＨＢに対して長押し操作を行うと、長押し時間が第１閾値に達した時点で表示モードがユニバーサルデザインモードに切り替わり、かつ、ホームボタンＨＢに対する操作を開始した時点で表示されていた第１下層画面１２に対応する第２下層画面２２が表示されるので、当該第２下層画面２２に対する操作を直ぐに開始したいユーザーにとっては利便性が良い。また、第２下層画面２２の表示中にホームボタンＨＢに対して長押し操作を行うと、長押し時間が第１閾値に達した時点で表示モードが通常モードに切り替わり、かつ、ホームボタンＨＢに対する操作を開始した時点で表示されていた第２下層画面２２に対応する第１下層画面１２が表示されるので、当該第１下層画面１２に対する操作を直ぐに開始したいユーザーにとっては利便性が良い。
【００９１】
なお、本実施形態では、通常モードからユニバーサルデザインモードへの切り替えをタッチスクリーン４１に対する操作によって行うこともできる。たとえば、図１２に示すように、第１ホーム画面１１には、メニューボタンＭＢが配される。ユーザーがメニューボタンＭＢに対して操作を行うと、「Ａｃｃｅｓｓｉｂｉｌｌｉｔｙ  Ｍｏｄｅ」と表記されたソフトウェアボタンＳＢが配されたメニューボックスがタッチスクリーン４１に表示される。ソフトウェアボタンＳＢに対して操作が行われると、パネル制御部４０は、通常モードからユニバーサルデザインモードに移行する。
【００９２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【図１】
0006908178.tif 000002
【図２】
0006908178.tif 000003
【図３】
0006908178.tif 000004
【図４】
0006908178.tif 000005
【図５】
0006908178.tif 000006
【図６】
0006908178.tif 000007
【図７】
0006908178.tif 000008
【図８】
0006908178.tif 000009
【図９】
0006908178.tif 000010
【図１０】
0006908178.tif 000011
【図１１】
0006908178.tif 000012
【図１２】
0006908178.tif 000013